(57)【要約】      （修正有）【課題】ジョブ単位やユーザの好みに応じて、シート忘れ警告音の音量や報知開始時間や報知時間や報知回数や報知有無を選択できる画像形成装置の提供。【解決手段】排紙トレー２１と、排紙シート検知手段４６によって排紙トレー２１に排出されたシートの検出結果に従いシート取り忘れの警告音を発生させる警告音発生手段を備えた画像形成装置において、排紙シート検知手段４６によって排紙トレー２１に排出された排出シートを検知している場合、画像形成ジョブの最後のシートが排出完了してから所定開始時間後に警告音の発生を開始するシート取り忘れ警告音発生開始制御手段と、前記制御手段によって警告音を発生させてから、排紙トレー２１に排出されたシートが取り除かれて排紙シート検知手段４６にて排出シート無しを検知するまで、警告音の音量を増加させていくシート取り忘れ警告音増加制御手段とを有することを特徴とする画像形成装置。【選択図】図２
2006215187.tif 000002
【特許請求の範囲】
【請求項１】
画像情報をシートに画像形成する画像形成手段と、画像形成したシートを排出し集積する排紙トレーと、排紙トレーへ集積されたシートの有無を検知する排紙シート検知手段と、排紙シート検知手段によって排紙トレーに排出されたシートの検出結果に従いシート取り忘れの警告音を発生させる警告音発生手段を備えた画像形成装置において、
排紙シート検知手段によって排紙トレーに排出された排出シートを検知している場合、画像形成ジョブの最後のシートが排出完了してから所定開始時間後に警告音の発生を開始するシート取り忘れ警告音発生開始制御手段と、
シート取り忘れ警告音発生開始制御手段によって警告音を発生させてから、排紙トレーに排出されたシートが取り除かれて排紙シート検知手段にて排出シート無しを検知するまで、警告音の音量を増加させていくシート取り忘れ警告音増加制御手段とを
有することを特徴とする画像形成装置。
【請求項２】
前記シート取り忘れ警告音発生開始制御手段は、
同じユーザの複数の画像形成ジョブの最後のシートが排出完了してから所定開始時間後に警告音の発生を開始することを特徴とする請求項１に記載の画像形成装置。
【請求項３】
請求項１に記載の画像形成装置において、
シート取り忘れ警告音発生開始制御手段により、所定開始時間を画像形成ジョブごとに設定できる開始時間設定手段とを
有することを特徴とする画像形成装置。
【請求項４】
請求項２に記載の画像形成装置において、
シート取り忘れ警告音発生開始制御手段により、所定開始時間をユーザごとに設定できる開始時間設定手段とを
有することを特徴とする画像形成装置。
【請求項５】
請求項１ないし４のいずれかに記載の画像形成装置において、
シート取り忘れ警告音増加制御手段により、所定最大音量の警告音に達したことをもって、排紙トレーに排出されたシートが取り除かれて排紙シート検知手段にて排出シート無しを検知していなくとも、シート取り忘れ警告音の発生を停止させるシート取り忘れ警告音停止制御手段を
有することを特徴とする画像形成装置。
【請求項６】
請求項５に記載の画像形成装置において、
シート取り忘れ警告音停止制御手段により、所定最大音量を画像形成ジョブごともしくはユーザごとに設定できる最大音量設定手段を
有することを特徴とする画像形成装置。
【請求項７】
請求項１ないし４のいずれかに記載の画像形成装置において、
シート取り忘れ警告音増加制御手段により、所定報知時間の警告音を発生させたことをもって、排紙トレーに排出されたシートが取り除かれて排紙シート検知手段にて排出シート無しを検知していなくとも、シート取り忘れ警告音の発生を停止させるシート取り忘れ警告音停止制御手段を
有することを特徴とする画像形成装置。
【請求項８】
請求項７に記載の画像形成装置において、
シート取り忘れ警告音停止制御手段により、所定報知時間を画像形成ジョブごともしくはユーザごとに設定できる報知時間設定手段を
有することを特徴とする画像形成装置。
【請求項９】
請求項５ないし８のいずれかに記載の画像形成装置において、
シート取り忘れ警告音停止制御手段により警告音発生を停止したあとも、排紙シート検知手段によって排紙トレーに排出された排出シートを検知している場合、所定再開時間後に警告音の発生を再開するシート取り忘れ警告音発生再開制御手段を
有することを特徴とする画像形成装置。
【請求項１０】
請求項９に記載の画像形成装置において、
シート取り忘れ警告音発生再開制御手段により、所定再開時間を画像形成ジョブごともしくはユーザごとに設定できる再開時間設定手段を
有することを特徴とする画像形成装置。
【請求項１１】
請求項５ないし８のいずれかに記載の画像形成装置において、
排紙シート検知手段によって排紙トレーに排出された排出シートを検知している場合、前記シート取り忘れ警告音発生開始制御手段により警告音発生を開始させ、シート取り忘れ警告音停止制御手段により警告音発生を停止させ、シート取り忘れ警告音発生再開制御手段により警告音発生を再開させ、シート取り忘れ警告音停止制御手段により警告音発生を停止させるといった警告音の発生と停止の繰返しを、排紙シート検知手段によって排紙トレーに排出された排出シートを検知しなくなるまで行うシート取り忘れ警告音発生繰り替えし制御手段を
有することを特徴とする画像形成装置。
【請求項１２】
請求項１１に記載の画像形成装置において、
シート取り忘れ警告音繰返し制御手段により、所定繰返し回数の警告音を発生させたことをもって、排紙トレーに排出されたシートが取り除かれて排紙シート検知手段にて排出シート無しを検知していなくとも、シート取り忘れ警告音の繰返し発生を停止させるシート取り忘れ警告音繰返し停止制御手段を
有することを特徴とする画像形成装置。
【請求項１３】
請求項１２に記載の画像形成装置において、
シート取り忘れ警告音繰返し停止制御手段により、所定繰返し回数を画像形成ジョブごともしくはユーザごとに設定できる繰返し回数設定手段を
有することを特徴とする画像形成装置。
【請求項１４】
請求項１ないし１３のいずれかに記載の画像形成装置において、
シート取り忘れ警告音発生開始手段、シート取り忘れ警告音増加制御手段、シート取り忘れ警告音停止手段、シート取り忘れ警告音発生再開制御手段、シート取り忘れ警告音繰返し停止制御手段によって、シート取り忘れの警告音を発生させたり停止させたりしている期間に、排紙トレーに排出されたシートが取り除かれて排紙シート検知手段にて排出シート無しを検知したらこれらシート忘れ警告音制御を終了したのち、新たな画像形成ジョブを実行していないにもかかわらず排紙トレーに排出されたシートがユーザに戻されて排紙シート検知手段により排出シート有りを検知したら、シート取り忘れ警告音発生手段によって警告音制御を復活させるシート取り忘れ警告音復活手段を
有することを特徴とする画像形成装置。
【請求項１５】
請求項１ないし１４のいずれかに記載の画像形成装置において、
排紙シート検知手段によって排紙トレーに排出されたシートの検出結果に従いシート取り忘れを検知して警告音発生手段により警告音を発生させるシート取り忘れ警告音報知モードと、
排紙シート検知手段によって排紙トレーに排出されたシートの検出結果に従いシート取り忘れを検知しても警告音発生手段により警告音を発生させないシート取り忘れ警告音非報知モードと、
これらシート取り忘れ警告音報知モードと音非報知モードのモード切替えを行える音報知モード切替え制御手段を
有することを特徴とする画像形成装置。
【請求項１６】
請求項１５に記載の画像形成装置において、
音報知モード切替えを、画像形成ジョブごとあるいはユーザごとに設定できるモード設定手段を
備えたことを特徴とする画像形成装置。
【請求項１７】
請求項１ないし１６のいずれかに記載の画像形成装置において、
排紙シート検知手段によって排紙トレーに排出されたシートの検出結果に従いシート忘れを検出している状態で、シート取り忘れの警告音を発生させる警告音発生手段により警告音を発生させたり停止させたりの制御に関係なく、シート忘れを検出している状態では警告灯点灯や警告メッセージ表示といった警告を報知続けるシート忘れ警告灯警告メッセージ報知制御手段を
備えたことを特徴とする画像形成装置。
【請求項１８】
請求項１ないし１７のいずれかに記載の画像形成装置において、
排紙トレーとして画像形成装置本体でなく画像形成装置へ接続する排紙装置に排出することを特徴とする画像形成装置。
【発明の詳細な説明】
【技術分野】
【０００１】
本発明は、ユーザに画像形成したシートの取り忘れ警告を報知する機能や警報告の音量を増加させていく機能などを搭載した画像形成装置に関する。
【背景技術】
【０００２】
従来から、ユーザに警告を報知するため、ブザーによって警告音を発生させたり、ＬＥＤやランプ等を点灯させて警告灯を点灯させたり、液晶などで警告メッセージを表示することで、警告を報知する警告報知手段を有するレーザプリンタやインクジェットプリンタや複写機等が知られている。また、画像形成装置においても、故障やジャムや寿命や異常を検出して、警告報知手段によってユーザに警告を報知している。オペレータは警告報知によって警告に気付き、修理やジャム処理や消耗品交換や異常解除などを行ってきた。画像形成して排紙トレーに排出した用紙についても、さまざまな警告を報知したものがある。例えば、排紙トレーに排出用紙が満載になっていることを警告報知する（特許文献１）。複写機ではユーザが原稿や記録紙を取り忘れて離れてしまったことを警告報知する（特許文献２）。ユーザが排出途中の記録紙を取ってしまったことを警告報知する（特許文献３）。画像形成が未出力の残りがあることを警告報知する（特許文献４）。
【特許文献１】特開平５−３０１４３０号公報
【特許文献２】特開平６−６７４８２号公報
【特許文献３】特開平１１−２８８１９７号公報
【特許文献４】特開２００２−２８３６７７号公報
【発明の開示】
【発明が解決しようとする課題】
【０００３】
しかしながら、従来からの画像形成装置としての警告報知では、異常事態を知らせることが主目的であった（特許文献１、３、４）。また、ユーザが記録紙を取り忘れていることを知らせる特許文献２においては、複写機でコピーをとった際に原稿および記録紙の取り忘れをユーザが離れることを検知しながら報知するもので、プリンタとしての印刷やＦＡＸの受信印刷のようにユーザが最初から画像形成装置の前にいないケースに向いていない。近年は、画像形成装置がネットワークに接続されて、さまざまな複数のユーザが１台の画像形成装置を共有している。そのため、ユーザによっては、プリンタとしての印刷が正常終了あるいはＦＡＸ受信としての印刷が正常終了して排紙トレーに排出されて取り忘れ報知音を聞いたら、プリンタ設置場所へ歩いて取りに行きたいという要望も出てきた。また、ユーザによっては、プリンタとしての印刷を開始したら、すぐにプリンタ設置場所へ歩いていって、正常終了して排紙トレーに排出されるやいなや取り忘れ報知音を鳴らせて、音が鳴ったとともに、記録紙を取り出したいという要望も出てきている。また、プリントしてシート忘れ警告報知音を聞き逃してしまったのちに、再度、警告報知音を聞いて忘れていたプリント記録紙を取りに行くよう促して欲しいという要望も出てきた。さらに、高齢化社会も進み、聴力が鈍ってきた方はシート取り忘れ警告音の音量を大きくしたり回数を増やして欲しいという要望も出てきている。
【０００４】
本発明は、上記問題点に鑑みて為されたもので、ジョブ単位やユーザの好みに応じて、シート忘れ警告音の音量や報知開始時間や報知時間や報知回数や報知有無を選択できる画像形成装置を提供することを目的とする。
【課題を解決するための手段】
【０００５】
本発明は、上記目的を達成するために、次のような解決手段を設ける。
【０００６】
請求項１記載の発明は、画像情報をシートに画像形成する画像形成手段と、画像形成したシートを排出し集積する排紙トレーと、排紙トレーへ集積されたシートの有無を検知する排紙シート検知手段と、排紙シート検知手段によって排紙トレーに排出されたシートの検出結果に従いシート取り忘れの警告音を発生させる警告音発生手段を備えた画像形成装置において、排紙シート検知手段によって排紙トレーに排出された排出シートを検知している場合、画像形成ジョブの最後のシートが排出完了してから所定開始時間後に警告音の発生を開始するシート取り忘れ警告音発生開始制御手段と、シート取り忘れ警告音発生開始制御手段によって警告音を発生させてから、排紙トレーに排出されたシートが取り除かれて排紙シート検知手段にて排出シート無しを検知するまで、警告音の音量を増加させていくシート取り忘れ警告音増加制御手段とを有することを特徴とする画像形成装置である。
【０００７】
請求項２に記載の発明は、前記シート取り忘れ警告音発生開始制御手段は、同じユーザの複数の画像形成ジョブの最後のシートが排出完了してから所定開始時間後に警告音の発生を開始することを特徴とする請求項１に記載の画像形成装置である。
【０００８】
請求項３に記載の発明は、請求項１に記載の画像形成装置において、シート取り忘れ警告音発生開始制御手段により、所定開始時間を画像形成ジョブごとに設定できる開始時間設定手段とを有することを特徴とする画像形成装置である。
【０００９】
請求項４に記載の発明は、請求項２に記載の画像形成装置において、シート取り忘れ警告音発生開始制御手段により、所定開始時間をユーザごとに設定できる開始時間設定手段とを有することを特徴とする画像形成装置である。
【００１０】
請求項１ないし４いずれかの発明によって、ジョブ単位あるいはユーザ単位を切り分けてのシート取り忘れを報知できるとともに、報知音の開始時間もジョブ単位やユーザ単位で好みに設定できる。
【００１１】
請求項５に記載の発明は、請求項１ないし４のいずれかに記載の画像形成装置において、シート取り忘れ警告音増加制御手段により、所定最大音量の警告音に達したことをもって、排紙トレーに排出されたシートが取り除かれて排紙シート検知手段にて排出シート無しを検知していなくとも、シート取り忘れ警告音の発生を停止させるシート取り忘れ警告音停止制御手段を有することを特徴とする画像形成装置である。
【００１２】
請求項６に記載の発明は、請求項５に記載の画像形成装置において、シート取り忘れ警告音停止制御手段により、所定最大音量を画像形成ジョブごともしくはユーザごとに設定できる最大音量設定手段を有することを特徴とする画像形成装置である。
【００１３】
請求項５または６の発明により、ジョブ単位やユーザ単位に警告音量を設定可能とし、聴力に応じた設定ができる。
【００１４】
請求項７に記載の発明は、請求項１ないし４のいずれかに記載の画像形成装置において、シート取り忘れ警告音増加制御手段により、所定報知時間の警告音を発生させたことをもって、排紙トレーに排出されたシートが取り除かれて排紙シート検知手段にて排出シート無しを検知していなくとも、シート取り忘れ警告音の発生を停止させるシート取り忘れ警告音停止制御手段を有することを特徴とする画像形成装置である。
【００１５】
請求項８に記載の発明は、請求項７に記載の画像形成装置において、シート取り忘れ警告音停止制御手段により、所定報知時間を画像形成ジョブごともしくはユーザごとに設定できる報知時間設定手段を有することを特徴とする画像形成装置である。
【００１６】
請求項７または８の発明により、ジョブ単位やユーザ単位に警告報知時間を好みに応じて設定可能とする。
【００１７】
請求項９に記載の発明は、請求項５ないし８のいずれかに記載の画像形成装置において、シート取り忘れ警告音停止制御手段により警告音発生を停止したあとも、排紙シート検知手段によって排紙トレーに排出された排出シートを検知している場合、所定再開時間後に警告音の発生を再開するシート取り忘れ警告音発生再開制御手段を有することを特徴とする画像形成装置である。
【００１８】
請求項１０に記載の発明は、請求項９に記載の画像形成装置において、シート取り忘れ警告音発生再開制御手段により、所定再開時間を画像形成ジョブごともしくはユーザごとに設定できる再開時間設定手段を有することを特徴とする画像形成装置である。
【００１９】
請求項９または１０の発明により、ジョブ単位やユーザ単位で、シート忘れ警告音を再度鳴らすかどうかと、再開時間を好みに設定可能とする。
【００２０】
請求項１１に記載の発明は、請求項５ないし８のいずれかに記載の画像形成装置において、排紙シート検知手段によって排紙トレーに排出された排出シートを検知している場合、前記シート取り忘れ警告音発生開始制御手段により警告音発生を開始させ、シート取り忘れ警告音停止制御手段により警告音発生を停止させ、シート取り忘れ警告音発生再開制御手段により警告音発生を再開させ、シート取り忘れ警告音停止制御手段により警告音発生を停止させるといった警告音の発生と停止の繰返しを、排紙シート検知手段によって排紙トレーに排出された排出シートを検知しなくなるまで行うシート取り忘れ警告音発生繰り替えし制御手段を有することを特徴とする画像形成装置である。
【００２１】
請求項１２に記載の発明は、請求項１１に記載の画像形成装置において、シート取り忘れ警告音繰返し制御手段により、所定繰返し回数の警告音を発生させたことをもって、排紙トレーに排出されたシートが取り除かれて排紙シート検知手段にて排出シート無しを検知していなくとも、シート取り忘れ警告音の繰返し発生を停止させるシート取り忘れ警告音繰返し停止制御手段を有することを特徴とする画像形成装置である。
【００２２】
請求項１３に記載の発明は、請求項１２に記載の画像形成装置において、シート取り忘れ警告音繰返し停止制御手段により、所定繰返し回数を画像形成ジョブごともしくはユーザごとに設定できる繰返し回数設定手段を有することを特徴とする画像形成装置である。
【００２３】
請求項１１ないし１３いずれかの発明により、ジョブ単位やユーザ単位に警告報知の繰返しおよび回数を好みに応じて設定可能とする。
【００２４】
請求項１４に記載の発明は、請求項１ないし１３のいずれかに記載の画像形成装置において、シート取り忘れ警告音発生開始手段、シート取り忘れ警告音増加制御手段、シート取り忘れ警告音停止手段、シート取り忘れ警告音発生再開制御手段、シート取り忘れ警告音繰返し停止制御手段によって、シート取り忘れの警告音を発生させたり停止させたりしている期間に、排紙トレーに排出されたシートが取り除かれて排紙シート検知手段にて排出シート無しを検知したらこれらシート忘れ警告音制御を終了したのち、新たな画像形成ジョブを実行していないにもかかわらず排紙トレーに排出されたシートがユーザに戻されて排紙シート検知手段により排出シート有りを検知したら、シート取り忘れ警告音発生手段によって警告音制御を復活させるシート取り忘れ警告音復活手段を有することを特徴とする画像形成装置である。
【００２５】
請求項１４の発明により、別のユーザが排紙トレーの用紙を取り除いて戻した場合でも、シート取り忘れ警告音を復活させることができる。
【００２６】
請求項１５に記載の発明は、請求項１ないし１４のいずれかに記載の画像形成装置において、排紙シート検知手段によって排紙トレーに排出されたシートの検出結果に従いシート取り忘れを検知して警告音発生手段により警告音を発生させるシート取り忘れ警告音報知モードと、排紙シート検知手段によって排紙トレーに排出されたシートの検出結果に従いシート取り忘れを検知しても警告音発生手段により警告音を発生させないシート取り忘れ警告音非報知モードと、これらシート取り忘れ警告音報知モードと音非報知モードのモード切替えを行える音報知モード切替え制御手段を有することを特徴とする画像形成装置である。
【００２７】
請求項１６に記載の発明は、請求項１５に記載の画像形成装置において、音報知モード切替えを、画像形成ジョブごとあるいはユーザごとに設定できるモード設定手段を備えたことを特徴とする画像形成装置である。
【００２８】
請求項１５または１６の発明により、ジョブ単位やユーザ単位で、シート取り忘れ警告音の有無を好みに応じて設定できる。
【００２９】
請求項１７に記載の発明は、請求項１ないし１６のいずれかに記載の画像形成装置において、排紙シート検知手段によって排紙トレーに排出されたシートの検出結果に従いシート忘れを検出している状態で、シート取り忘れの警告音を発生させる警告音発生手段により警告音を発生させたり停止させたりの制御に関係なく、シート忘れを検出している状態では警告灯点灯や警告メッセージ表示といった警告を報知続けるシート忘れ警告灯警告メッセージ報知制御手段を備えたことを特徴とする画像形成装置である。
【００３０】
請求項１７の発明により、排出したシートをずっと取りに行かずに警告音報知後に煩わしいので音は停止させたととても、警告灯や警告メッセージは報知し続けるため、画像形成装置へ出向いていったユーザに取り忘れを認識させることが可能である。
【００３１】
請求項１８に記載の発明は、請求項１ないし１７のいずれかに記載の画像形成装置において、排紙トレーとして画像形成装置本体でなく画像形成装置へ接続する排紙装置に排出することを特徴とする画像形成装置である。
【００３２】
請求項１８の発明により、排紙トレーが外部接続した排紙装置の構成においても、ジョブ単位やユーザ単位の好みのシート忘れ警告音を発生させることが可能となる。
【００３３】
以上のような構成とすることで、ジョブ単位やユーザ単位で、好みのシート取り忘れ警告音を発生させる画像形成装置の提供が可能となる。
【発明の効果】
【００３４】
本発明によれば、画像形成装置において、ジョブごとあるいはユーザごとに、シート取り忘れ開始時間や報知時間、再開時間、繰返し回数、報知モード、最大音量を自由に好みに応じて設定し、ユーザの使い方に応じたシート忘れ警告を発生させることが可能となった。そして、ユーザが排出紙をすぐに取りに行くことができ、シート忘れに気付いて取りに行ける効果が得られた。音量についても、ユーザの聴力に応じて聞き取りやすくできる効果が得られた。
【００３５】
また、ユーザが排紙トレーの排出紙を取り除いて、元に戻したときにも、別のユーザへシート忘れ警告音を発生さることが可能となった。そして、ユーザにとって、シート忘れ警告が確実に伝わる効果を得ることができた。
【発明を実施するための最良の形態】
【００３６】
以下、本発明の実施例を添付図面に基づいて説明する。
【実施例】
【００３７】
［第１の実施例］
本発明の第１の実施形態について説明する。本発明を適用した画像形成装置としてのレーザプリンタを例としている。
【００３８】
図１は、本実施形態にかかる画像形成手段に相当する画像形成装置Ａの概略構成を示す断面図である。
【００３９】
レーザプリンタの例を示している。プリンタ本体１は、紙などのシートの記録媒体を収納する上段カセット２と下段カセット５を有している。上段カセット２から上段ピックアップ給紙ローラ３により記録媒体を繰り出し、上段給紙搬送ローラ４により記録媒体を搬送する。また、下段カセット５から下段ピックアップ給紙ローラ６により記録媒体を繰り出し、下段給紙搬送ローラ７により記録媒体を搬送する。上段カセット２もしくは下段カセット５より搬送された記録媒体は、下流の給紙センサ８により検知され、再給紙ローラ９によりさらに搬送される。また、記録媒体を収納するマルチトレー１０からは、マルチピックアップ給紙ローラ１１により記録媒体を繰り出し、マルチ給紙搬送ローラ１２により記録媒体を搬送する。上段カセット２、下段カセット５、マルチトレー１０から給紙搬送された記録媒体は、さらに下流のレジセンサ１３により検知され、レジストローラ対１４に所定のループ量を作成して搬送を停止する。画像形成タイミングと同期をとって、レジストローラ対１４により記録媒体の搬送が再開される。レジストローラ対１４の下流にはレーザスキャナ部３０からのレーザ光に基づいて感光ドラム１５上にトナー像を形成する着脱可能なプロセスカートリッジ３５が設けられている。感光ドラム１５上のトナー像は、転写帯電器４０によって記録媒体に転写される。さらに、下流には記録媒体上に形成されたトナー像を加熱加圧定着する定着器２８が設けられており、定着器２８の下流には搬送状態を検知する定着排紙センサ１８および記録媒体を排紙部へ搬送する定着排紙ローラ１７が設けられており、記録媒体はさらに、排紙ローラ２０により排紙トレー２１に排紙される。両面印字する場合は、両面フラッパ１９により、記録媒体を反転機構部分へ導く。反転機構へ導かれた記録媒体は、反転センサ２２により検知され、反転ローラ２３により引き込みされる。引き込みが終了すると、反転ローラ２３の回転方向を逆にすることで記録媒体を反転させ、両面搬送部へ導く。両面搬送部へ導かれた記録媒体は、切り欠けローラ２５で搬送され、切り欠けローラ２５の切り欠け部分が記録媒体と接する位置で搬送を停止し、記録媒体が自由になったところで横レジスト調整板２４にて斜行を補正する。その後、切り欠けローラ２５により搬送を再開し、下流の両面ローラ２６に引き継がれ、両面センサ２７で記録媒体の搬送位置を確認する。そして、再給紙ローラ９にて搬送されて２面目の画像形成を行う。また、前記レーザスキャナ部３０は、ホストＰＣ４２から送出される画像信号に基づいて変調されたレーザ光を発光するレーザユニット３１，このレーザユニット３１からのレーザ光を感光ドラム１５上に走査するためのスキャナモータユニット３２，結像レンズ群３３，折り返しミラー３４により構成されている。スキャナモータユニット３２は、スキャナモータ３２ａおよびポリゴンミラー３２ｂから構成される。そして、プロセスカートリッジ３５は、電子写真プロセスに必要な感光ドラム１５，前露光ランプ３６，一時帯電器３７，現像器３８，転写帯電器４０，クリーナー３９から構成される。また，定着器２８は，熱ローラ方式の定着装置であり、加熱ローラおよび加圧ローラからなる加熱加圧回転体１６，加熱ローラ内部に設けられたハロゲンヒータであるヒータ２９から構成されている。加熱ローラの表面には図示しない温度検知素子を当接し、温度検知結果に基づきヒータをＯＮ／ＯＦＦして、ローラ表面温度を一定に制御している。プリンタ制御装置４１はプリンタ本体１を制御する装置で、マイクロコンピュータ４１ａ，ＲＯＭ４１ｂ，ＲＡＭ４１ｃ、タイマ４１ｄなどで構成される。プリンタ制御装置４１は、インターフェース４３を介してホストＰＣ４２と通信可能な状態で接続されている。また、プリンタ本体１には、ユーザに警告を報知するための警告報知装置４４を持っている。警告報知装置４４は、警告灯としてのＬＥＤ４４ａ、警告音としてのブザー４４ｂから構成され、プリンタ制御装置４１と信号線４５によって接続されている。また、排紙トレー２１には、排出紙有無センサ４６を配置し、排紙トレー２１に排出された記録紙が有るか無いかを検出している。
【００４０】
図２は、本発明の第１の実施例を示す画像形成装置における機能構成を示すブロック図である。プリンタ本体１には、プリンタ制御装置４１があり、ホストＰＣ４２からインターフェース４３を介して送られてくる画像データを、プリントの印字に必要なビットデータに展開する。そして、プリンタ制御装置４１は、給紙ローラや搬送ローラやリフタなどの用紙搬送機構４８を制御して記録紙の給紙を行う。さらに、展開したビットデータに従って、レーザスキャナユニット３０を制御しながら画像形成を行い、画像形成された画像を高圧ユニット４７によって記録紙に転写し、定着器２８によって定着し、用紙搬送機構４８を制御して排出を行う。また、センサ入力部４９により、各種のセンサ読み込みを行い、搬送路上のセンサの紙有無検知をしたりする。搬送中に搬送路上のセンサに記録紙が所定時間経過しても到達しなかったり、所定時間経過しても記録紙が通過しなかったりするときにはジャムと判断する。また、カセットの記録紙の紙有無センサ（不図示）を読み込み、紙無しの消耗品不足と判断する。さらに、排紙トレー２１に配置された排出紙有無センサ４６を読み込み、排紙トレー２１に排出された記録紙が有るかどうかを検知し、用紙取り忘れ警告を判断する。用紙搬送機構４８のモータを回転させたときに、正常回転センサを読み込み、所定時間経過しても回転センサによって回転が検知できなければ故障と判断する。また、プリンタ制御装置４１は、警告報知装置４４と信号線４５にて接続されている。警告報知装置４４には、ＬＥＤ４４ａとブザー４４ｂを駆動する駆動回路５０によって、警告灯を点灯させたり警告音を鳴らしたりする。プリンタ制御装置４１は、前述したようなジャムや消耗品不足や故障や排紙トレー２１への用紙置き忘れなどの警告状態を検出したときには、信号線４５を介して、警告報知装置４４へ警告報知指示を行い、警告をオペレータへ報知する。
【００４１】
図３は、本発明の第１の実施例を示す画像形成装置におけるプリンタ制御装置４１のシート取り忘れ警告制御を示すフローチャートであって、排紙シート検知手段と、シート取り忘れ警告音発生開始制御手段と、シート取り忘れ警告音増加制御手段の詳細を示している。
【００４２】
まず、１枚の印刷が終了して排紙トレー２１へ排出完了することを待つ（ステップＳ１０１）。排出が完了したら、ジョブ（一連のプリントジョブ）が完了したかどうかチェックする（ステップＳ１０２）。ジョブが完了していなければ、ステップＳ１０１へ戻って、続きの印刷が終了するのを待つ。ステップＳ１０２にてジョブが完了していたら、タイマ１測定を開始する（ステップＳ１０３）。タイマ１計測時間がジョブごとに設定されたシート忘れ警告開始時間を経過するまで待つ（ステップＳ１０４）。ステップＳ１０４で待っている間、排紙トレー２１の排出紙有無センサ４６を監視して（ステップＳ１０５）、ユーザが排出紙を取り出して無くなったら終了する。ステップＳ１０４にて、タイマ１計測時間がシート忘れ警告開始時間を経過したら、ブザー音を発生させる（ステップＳ１０６）。ブザー音の音量を増やし（ステップＳ１０７）、ブザー音量がジョブごとに設定された最大音量に到達するまで（ステップＳ１０８）、増やしていく。その間、排紙トレー２１の排出紙有無センサ４６を監視して（ステップＳ１０９）、ユーザが排出紙を取り出して無くなったら、ブザー音を停止し（ステップＳ１１０）、終了する。ステップＳ１０８で、ブザー音が設定最大音量に到達したら、ブザー音を停止し（ステップＳ１１１）、終了する。
【００４３】
例えば、プリンタから離れたあるユーザが、１０枚のプリントを行う際、プリント終了してすぐに取りに行きたい場合には、下記の設定でこのプリントジョブを行う。
【００４４】
シート取り忘れ警告開始時間  ＝  ０秒
警告最大音量  ＝  通常レベル
【００４５】
この結果、１０枚のプリントが終り、最後の記録紙が排出完了するやいなや警告音が通常音量で鳴り始めるので、この音を聞いて、プリンタまで歩いて取りに行けばよい。
【００４６】
また、同じユーザが、１０枚のプリントを行う際、プリント指示だけして別の作業が終えたら取りに行くような場合には、下記の設定でプリントジョブを行う。
【００４７】
シート取り忘れ警告開始時間  ＝  １０分
警告最大音量  ＝  通常レベル
【００４８】
この結果、１０枚のプリントが終り、最後の記録紙が排出完了して１０分間取り出さなかったときに、通常音量の警告音が鳴ることになる。１０分以内に別の作業を終了して、プリンタへ出向いて取り出していれば警告音は鳴らず、煩わしさもない。別の作業を終了したにもかかわらず、プリントしたことを忘れてしまっているときには、１０分後に警告音が鳴るので、その音に気付いて取り忘れの記録紙を取りに行くことができる。
【００４９】
さらに、聴力が弱いユーザであれば、音量を大きくするような、下記の設定でプリントジョブを行う。
【００５０】
シート取り忘れ警告開始時間  ＝  ５分
警告最大音量  ＝  大音量レベル
【００５１】
この結果、プリントが終り、最後の記録紙が排出完了して５分経過しても取り出さなかったときに、小さい音量の警告音で鳴り始め、さらに取り出さなければ、大音量レベルまで警告音を大きくしていく。聴力が弱くても、警告音に気付いくことが可能となる。
【００５２】
いずれのジョブのケースでも、警告音が設定した音量に到達すれば警告音を停止させるので、排出紙を取り出しにいけない状況でも鳴り続けるような煩わしさを防止もできる。また、最後のシートが排出完了してから指定時間後に警告音が鳴り出すので、複数枚プリントの１つのジョブの途中の排出で鳴り出す煩わしさも無い。
【００５３】
この実施例では、プリンタを例としたが、複写機や複合機でも良い。複合機では、プリントジョブと、コピージョブと、ＦＡＸ受信ジョブで、これらの開始時間や最大音量を切替えても良い。以上、説明したように、ジョブごとに、シート取り忘れ開始時間や最大音量を自由に好みに応じて設定し、ユーザの使い方に応じた警告を発生させることが可能となった。
【００５４】
［第２の実施形態］
本発明の第２の実施形態について説明する。本発明を適用した画像形成装置としてのレーザプリンタを例としている。
【００５５】
図１は本実施形態にかかる画像形成装置の概略構成を示す断面図であり、図２は本発明の実施形態示す画像形成装置における機能構成を示すブロック図であり、実施形態１と同じであるので説明を省略する。
【００５６】
図４は、本発明の第２の実施形態を示す画像形成装置におけるプリンタ制御装置４１のシート取り忘れ警告制御を示すフローチャートである。
【００５７】
まず、１枚の印刷が終了して排紙トレー２１へ排出完了することを待つ（ステップＳ２０１）。排出が完了したら、同じユーザの一連のプリントジョブが完了したかどうかチェックする（ステップＳ２０２）。同じユーザジョブが完了していなければ、ステップＳ２０１へ戻って、続きの印刷が終了するのを待つ。ステップＳ２０２にてユーザジョブが完了していたら、カウンタ１を値０にリセットし（ステップＳ２０３）、タイマ１測定を開始する（ステップＳ２０４）。タイマ１計測時間がユーザジョブごとに設定されたシート忘れ警告開始時間を経過するまで待つ（ステップＳ２０５）。ステップＳ２０５で待っている間、排紙トレー２１の排出紙有無センサ４６を監視して（ステップＳ２０６）、ユーザが排出紙を取り出して無くなったら終了する。ステップＳ２０５にて、タイマ１計測時間がシート忘れ警告開始時間を経過したら、ブザー音を発生させ（ステップＳ２０７）、タイマ２測定を開始する（ステップＳ２０８）。ブザー音量がユーザジョブごとに設定された最大音量に到達するまで（ステップＳ２０９）、ブザー音の音量を増やす（ステップＳ２１０）。ブザー音量がユーザジョブごとに設定された最大音量に到達していれば、その音量を維持する。タイマ２計測時間がユーザジョブごとに設定されたシート忘れ警告報知時間を経過するまで、音量調整（ステップＳ２０９，２１０）をしながら、待つ（ステップＳ２１１）。その間、排紙トレー２１の排出紙有無センサ４６を監視して（ステップＳ２１２）、ユーザが排出紙を取り出して無くなったら、ブザー音を停止し（ステップＳ２１３）、終了する。ステップＳ２１１にて、タイマ２計測時間がシート忘れ警告報知時間を経過したら、ブザー音を停止させ（ステップＳ２１４）、カウンタ１をインクリメント（＋１）する（ステップＳ２１５）。カウンタ１がユーザジョブごとに設定されたシート忘れ警告繰返し回数に到達しているか比較して（ステップＳ２１６）、到達していれば終了する。到達していなければ、タイマ３測定を開始する（ステップＳ２１７）。タイマ３計測時間がユーザジョブごとに設定されたシート忘れ警告再開時間を経過するまで待つ（ステップＳ２１８）。ステップＳ２１８で待っている間、排紙トレー２１の排出紙有無センサ４６を監視して（ステップＳ２１９）、ユーザが排出紙を取り出して無くなったら終了する。ステップＳ２１８にて、タイマ３計測時間がシート忘れ警告再開時間を経過したら、ステップＳ２０７に戻って再び警告音を発生させる。ブザー音を発生させて報知して停止させてを繰返し、ユーザジョブごとに指定された繰返し回数に到達したら（ステップＳ２１６）終了する。
【００５８】
例えば、同じユーザが、２枚の両面プリントジョブおよび１０枚の片面プリントジョブと、これら２つのジョブを連続で行う際、下記の設定でこのジョブを行う。
【００５９】
シート取り忘れ警告開始時間  ＝  ０秒
シート取り忘れ警告報知時間  ＝  １０秒
シート取り忘れ警告再開時間  ＝  １０分
シート取り忘れ警告繰返し回数  ＝  ４回
警告最大音量  ＝  通常レベル
【００６０】
この結果、２枚の両面プリントが終了し、さらに、１０枚の片面プリントの最後の記録紙が排出完了するやいなや警告音が通常音量で鳴り始めるので、この音を聞いて、プリンタまで歩いて取りに行けばよい。実施形態１では、プリントジョブごとに警告音が鳴る例であったため、同じユーザでも、１つ目の２枚の両面プリントジョブの記録紙が排紙完了した時点で鳴り出す。ユーザがプリンタへ取りに行くと、まだ、２つ目のジョブである１０枚の片面プリントを実行中であるためこれの終了と排出完了を待たなければならない。しかし、この実施形態２では、同じユーザであれば、連続するジョブが終了してから警告音が鳴るので、鳴ってからプリンタへ取りに行けば、２つとも排出されているため待たなくてすむ利点がある。
【００６１】
この設定の場合には、２つのジョブが排出されてからすぐに１回目の警告音が通常音量で１０秒鳴ったあと鳴り止む。取り除かないままにしておくと、１０分後に、再び２回目の警告音が通常音量で１０秒鳴ったあと鳴りやむ。取り除かないままにしておくと、１０分後（排出されてから２０分後）に３回目が鳴る。さらに取り除かないままにしておくと、１０分後（排出されてから３０分後）に４回目が鳴る。それ以降は、取り除かないままにしておいても、鳴ることはない。このように警告音が繰り返されることで、プリントしたことを忘れて音が聞こえない場所に離席してしまった際には、席に戻ってきてから、繰返しの何回目かの警告音を聞いて、その音に気付いて取り忘れの記録紙を取りに行くことができる。
【００６２】
この実施形態では、開始時間、報知時間、再開時間、繰返し回数と設定している。さらに、（開始時間、報知時間、再開時間、繰返し回数）の繰返し単位を、第２の再開時間と第２の繰返し回数で繰り返すようにしてもよい、例えば、開始時間０秒、報知時間１０秒、再開時間１分、繰返し回数２回とし、第２の再開時間６０分、第２の繰返し回数３回とする。取り除かないままにしておくと、排出完了してから０秒後に鳴り始め１０秒で鳴り止み、１分後に１０秒鳴る。そして、６０分後に１０秒鳴り、６１分後に１０秒鳴り、１２０分後に１０秒鳴り、１２１分後に１０秒鳴りで、終了する。このように繰返しを多段階にしても良い。
【００６３】
また、この実施例では、プリンタを例としたが、複写機や複合機でも良い。複合機では、ユーザごとのプリントジョブと、ユーザごとのコピージョブと、ＦＡＸ受信ジョブで、これらの開始時間や報知時間や再開時間や繰返し回数や最大音量を切替えても良い。
【００６４】
以上、説明したように、ユーザごとに、シート取り忘れ開始時間や報知時間、再開時間、繰返し回数、最大音量を自由に好みに応じて設定し、ユーザの使い方に応じた警告を発生させることが可能となった。
【００６５】
［第３の実施形態］
本発明の第３の実施形態について説明する。本発明を適用した画像形成装置としてのレーザプリンタを例としている。
【００６６】
図１は本実施形態にかかる画像形成装置の概略構成を示す断面図であり、図２は本発明の実施形態示す画像形成装置における機能構成を示すブロック図であり、実施形態１と同じであるので説明を省略する。
【００６７】
図５は、本発明の第３の実施形態を示す画像形成装置におけるプリンタ制御装置４１のシート取り忘れ警告制御を示すフローチャートである。第２の実施形態にたいして、本実施形態では、ステップＳ３０３、Ｓ３２１〜Ｓ３２４を追加した。また、ステップＳ３０６、Ｓ３１０、Ｓ３１２、Ｓ３１７、Ｓ３１９にて、第２の実施形態ではユーザごとの設定にたいして、本実施形態ではジョブごとの設定にしてあるとことが異なる。まず、１枚の印刷が終了して排紙トレー２１へ排出完了することを待つ（ステップＳ３０１）。排出が完了したら、プリントジョブが完了したかどうかチェックする（ステップＳ３０２）。ジョブが完了していなければ、ステップＳ３０１へ戻って、続きの印刷が終了するのを待つ。ステップＳ３０２にてジョブが完了していたら、ジョブごとに設定されたシート忘れ警告モードが、報知モードか非報知モードかを判断する（ステップＳ３０３）。非報知モードであれば、シート忘れ警告を行わずに終了する。報知モードであれば、カウンタ１を値０にリセットし（ステップＳ３０４）、タイマ１測定を開始する（ステップＳ３０５）。タイマ１計測時間がジョブごとに設定されたシート忘れ警告開始時間を経過するまで待つ（ステップＳ３０６）。ステップＳ３０６で待っている間、排紙トレー２１の排出紙有無センサ４６を監視して（ステップＳ３０７）、ユーザが排出紙を取り出して無くなったら、後述するステップＳ３２３へ進む。ステップＳ３０６にて、タイマ１計測時間がシート忘れ警告開始時間を経過したら、ブザー音を発生させ（ステップＳ３０８）、タイマ２測定を開始する（ステップＳ３０９）。ブザー音量がジョブごとに設定された最大音量に到達するまで（ステップＳ３１０）、ブザー音の音量を増やす（ステップＳ３１１）。ブザー音量がジョブごとに設定された最大音量に到達していれば、その音量を維持する。タイマ２計測時間がジョブごとに設定されたシート忘れ警告報知時間を経過するまで、音量調整（ステップＳ３１０，３１１）をしながら、待つ（ステップＳ３１２）。その間、排紙トレー２１の排出紙有無センサ４６を監視して（ステップＳ３１３）、ユーザが排出紙を取り出して無くなったら、ブザー音を停止し（ステップＳ３１４）、後述するステップＳ３２３へ進む。ステップＳ３１２にて、タイマ２計測時間がシート忘れ警告報知時間を経過したら、ブザー音を停止させ（ステップＳ３１５）、カウンタ１をインクリメント（＋１）する（ステップＳ３１６）。カウンタ１がジョブごとに設定されたシート忘れ警告繰返し回数に到達しているか比較して（ステップＳ３１７）、到達していなければ、タイマ３測定を開始する（ステップＳ３１８）。タイマ３計測時間がジョブごとに設定されたシート忘れ警告再開時間を経過するまで待つ（ステップＳ３１９）。ステップＳ３１９で待っている間、排紙トレー２１の排出紙有無センサ４６を監視して（ステップＳ３２０）、ユーザが排出紙を取り出して無くなったら、後述するステップＳ３２３へ進む。ステップＳ３１９にて、タイマ３計測時間がシート忘れ警告再開時間を経過したら、ステップＳ３０８に戻って再び警告音を発生させる。ブザー音を発生させて報知して停止させてを繰返し、ジョブごとに指定された繰返し回数に到達したら（ステップＳ３１７）、ステップＳ３２１へ進む。新たなジョブが有って開始されたかどうか判断し（ステップＳ３２１）、有れば終了する。無ければ、排紙トレーに排出された用紙の有無を監視して（ステップＳ３２２）、用紙が有ればステップＳ３２１へ戻り、用紙が無くなればステップＳ３２３へ進む。ステップＳ３０７，Ｓ３１４，Ｓ３２２，Ｓ３２０のいずれも用紙が無い状態を確認後、新たなジョブが有って開始されたかどうか判断し（ステップＳ３２３）、有れば終了する。無ければ、排紙トレーに排出された用紙の有無を監視して（ステップＳ３２４）、用紙が有れば（一旦すでに用紙無しの状態が確認されたあと、再度用紙有りを確認したことは、ユーザが用紙を取り出したものの排紙トレーに戻したことを想定）ステップＳ３０４へ戻って、再度シート忘れ警告音開始制御から繰り返す。
【００６８】
例えば、同じユーザが、２枚の両面プリントジョブおよび１０枚の片面プリントジョブと、これら２つのジョブを連続で行う際、１つ目のジョブを急ぎで取り出して会議に参加し、２つ目のジョブは出力しっぱなしにしておきたい場合、下記の設定でこのジョブを行う。
【００６９】
＜１つ目のジョブ＞
シート取り忘れ警告モード  ＝  報知モード
シート取り忘れ警告開始時間  ＝  ０秒
シート取り忘れ警告報知時間  ＝  １０秒
シート取り忘れ警告再開時間  ＝  １０分
シート取り忘れ警告繰返し回数  ＝  ４回
警告最大音量  ＝  通常レベル
＜２つ目のジョブ＞
シート取り忘れ警告モード  ＝  非報知モード
シート取り忘れ警告開始時間  ＝  ０秒
シート取り忘れ警告報知時間  ＝  １０秒
シート取り忘れ警告再開時間  ＝  １０分
シート取り忘れ警告繰返し回数  ＝  ４回
警告最大音量  ＝  通常レベル
【００７０】
この結果、１つ目のジョブ（２枚の両面プリント）が終了し排出されたら、報知モードにつき警告音が鳴り始めるので、プリンタへ出向いて排出紙を取り出して会議へ参加できる。さらに、２つ目のジョブ（１０枚の片面プリント）が終了し排出されても、非報知モードにつき警告音は鳴らず、会議へ参加していて排出紙を取り出せない期間に、警告音を鳴らす煩わしさがない。
【００７１】
次に、異なるユーザがジョブを行うケースを示す。１人目は、非報知モードとして警告音無しで２枚の両面プリントジョブを行う。２人目は、報知モードとして１０枚の片面プリントジョブを行う。２人目のジョブが排出完了して、警告報知音を鳴った際、１人目がプリンタから排出用紙を取り出し、自分のジョブだけ取り出して残りを排紙トレーに戻す。その後、再度、警告報知音が鳴り、２人目もプリンタから自分の排出用紙を取り出す例である。
【００７２】
＜１人目のジョブ＞
シート取り忘れ警告モード  ＝  非報知モード
シート取り忘れ警告開始時間  ＝  ０秒
シート取り忘れ警告報知時間  ＝  ５秒
シート取り忘れ警告再開時間  ＝  １分
シート取り忘れ警告繰返し回数  ＝  ２回
警告最大音量  ＝  通常レベル
＜２つ目のジョブ＞
シート取り忘れ警告モード  ＝  報知モード
シート取り忘れ警告開始時間  ＝  ０秒
シート取り忘れ警告報知時間  ＝  ５秒
シート取り忘れ警告再開時間  ＝  １分
シート取り忘れ警告繰返し回数  ＝  ２回
警告最大音量  ＝  通常レベル
【００７３】
この結果、１人目のジョブ（２枚の両面プリント）が終了し排出されたら、非報知モードにつき警告音が鳴らない。続いて、２人目のジョブ（１０枚の片面プリント）が終了し排出されると、報知モードにつき５秒後に警告音が鳴る。この時、１人目のユーザが、プリンタへ排出用紙を取りに行き、一旦、すべてを取り除き、自分の排出用紙だけを選び、他の排出用紙（２人目のジョブ）を戻す。実施形態１および２では、他のユーザが排出用紙を取り除いて自分以外の用紙を戻しても、一度排紙トレーの紙無しを検出しているので、再びシート忘れ警告音が鳴ることはない。本実施形態では、一度、排紙トレーの紙無しを確認したのち、さらに次のジョブが開始されていなければ、再び排紙トレーに戻されて排紙トレーの紙有りを検知すると、シート取り忘れ警告報知音をまた鳴らすアルゴリズムになっている。そのため、他の排出用紙（２人目のジョブ）を戻すと、シート警告報知音が鳴り、２人目のユーザが気付いて取りに行くことを促すことができる。
【００７４】
この実施例では、プリンタを例としたが、複写機や複合機でも良い。複合機では、プリントジョブと、コピージョブと、ＦＡＸ受信ジョブで、これらの報知モードを切替えても良い。以上、説明したように、ジョブごとに、報知モードを好みに応じて設定し、ユーザの使い方に応じたシート忘れ警告を発生させることが可能となった。また、別のユーザが排紙トレーから排出用紙を取り出して戻しても、再度、シート忘れ警告音を鳴らしてユーザへ知らせることが可能となった。
【図面の簡単な説明】
【００７５】
【図１】実施例１〜３における概略構成を示す断面図である。
【図２】実施例１〜３における機能構成を示すブロック図である。
【図３】実施例１におけるシート忘れ警告報知制御のフローチャートである。
【図４】実施例２におけるシート忘れ警告報知制御のフローチャートである。
【図５】実施例３におけるシート忘れ警告報知制御のフローチャートである。
【符号の説明】
【００７６】
Ａ  画像形成装置（画像形成手段に相当）
１  プリンタ本体
２  上段カセット
３  上段ピックアップ給紙ローラ
４  上段給紙搬送ローラ
５  下段カセット
６  下段ピックアップ給紙ローラ
７  下段給紙搬送ローラ
８  給紙センサ
９  再給紙ローラ
１０  マルチトレー
１１  マルチピックアップ給紙ローラ
１２  マルチ給紙搬送ローラ
１３  レジセンサ
１４  レジストローラ対
１５  感光ドラム（電子写真感光体）
１６  加熱加圧回転体
１７  定着排紙ローラ
１８  定着排紙センサ
１９  両面フラッパ
２０  排紙ローラ
２１  排紙トレー
２２  反転センサ
２３  反転ローラ
２４  横レジスト調整板
２５  切り欠けローラ
２６  両面ローラ
２７  両面センサ
２８  定着器
２９  ヒータ
３０  レーザスキャナ部（露光装置）
３１  レーザユニット
３２  スキャナモータユニット
３３  結像レンズ群
３４  折り返しミラー
３５  プロセスカートリッジ
３６  前露光ランプ
３７  帯電装置
３８  現像装置
３９  クリーナー
４０  転写帯電器
４１  プリンタ制御装置
４２  ホストＰＣ
４３  通信インターフェース
４４  警告報知装置（警告音発生手段に相当）
４４ａ  ＬＥＤ
４４ｂ  ブザー
４５  信号線
４６  排出紙有無センサ（排紙シート検知手段に相当）
【図１】
2006215187.tif 000003
【図２】
2006215187.tif 000004
【図３】
2006215187.tif 000005
【図４】
2006215187.tif 000006
【図５】
2006215187.tif 000007